(57)【要約】【課題】メンテナンスを容易に行うことのできるイオン送出装置を提供する。【解決手段】天井壁Ａ内に取り付けられる本体部１０と、本体部１０を覆って吸込口３及び吹出口４が開口する前面パネル２と、吸込口３を吹出口４とを連通させる送風通路１２と、送風通路１２内に配される送風ファン１１と、イオンを発生する電極部２５、２６を有したイオン発生装置２０と、前面パネル２の一端に水平移動可能に設けられて前面パネル２から突出する方向に付勢されるとともに上方に突出した爪部５ａを有する操作ボタン５と、前面パネル２の他端に遊着される支点部分からＶ字状に延びる先端に外側に突出した係止部６ａを有する捻りバネ６と、本体部１０に設けられて水平移動する爪部５ａが係合する第１係合部材１０ｃと、本体部１０に設けられるとともに捻りバネ６の先端を挿通して捻りバネ６の弾性により支点部分近傍と係合する第２係合部材１８ａとを備えた。【選択図】図２
2011021766.tif 000002
【特許請求の範囲】
【請求項１】
居室内の天井壁内に取り付けられる本体部と、前記本体部の下面を覆って吸込口及び吹出口が開口する前面パネルと、前記本体部内に設けられて前記吸込口を前記吹出口とを連通させる送風通路と、前記送風通路内に配される送風ファンと、イオンを発生する電極部を有したイオン発生装置とを備え、前記送風ファンの駆動により前記吸込口から前記送風通路に流入した居室内の空気に前記電極部で発生したイオンを混合して前記吹出口から送出するイオン送出装置において、
前記前面パネルの一端に水平移動可能に設けられて前記前面パネルから突出する方向に付勢されるとともに上方に突出した爪部を有する操作ボタンと、前記前面パネルの他端に遊着される支点部分からＶ字状に延びる先端に外側に突出した係止部を有する捻りバネと、前記本体部に設けられて水平移動する前記爪部が係合する第１係合部材と、前記本体部に設けられるとともに前記捻りバネの先端を挿通して前記捻りバネの弾性により前記支点部分近傍と係合する第２係合部材とを設けたことを特徴とするイオン送出装置。
【請求項２】
前記前面パネルの周面の上端に面取りを施したことを特徴とする請求項１に記載のイオン送出装置。
【請求項３】
前記爪部の第１係合部材に摺接する摺接面を傾斜面にしたことを特徴とする請求項１に記載のイオン送出装置。
【発明の詳細な説明】
【技術分野】
【０００１】
本発明は、居室内にイオンを送出するイオン送出装置に関する。
【背景技術】
【０００２】
従来のイオン送出装置は特許文献１に開示されている。このイオン送出装置は居室の天井壁に配される本体部を有し、本体部の下面に吸込口及び吹出口が居室に面して開口する。本体部内には吸込口及び吹出口とを連結する送風通路が設けられ、送風通路内に送風ファンが配される。また、本体部の上方には送風通路に面してイオンを発生するイオン発生装置が設けられる。イオン発生装置は電極に高電圧を印加して放電によりイオンを発生する。
【０００３】
送風ファンを駆動すると居室内の空気が吸込口から送風通路に流入する。送風通路を流通する空気にはイオン発生装置で発生したイオンが混合され、吹出口からイオンを含む空気が送出される。これにより、居室内にマイナスイオンを送出して人体内の活性酸素の低減等を図ることができる。
【０００４】
イオンを発生するイオン発生装置は高電圧が印加されるため長期間の使用によって劣化する。この時、イオン発生装置が本体部の上方に配されるため、劣化したイオン発生装置を交換する際に本体部をイオン発生装置と一体に天井から取り外す必要がある。このため、メンテナンスが困難となる問題がある。
【０００５】
上記問題を解決するために、本体部の開口面からイオン発生装置を着脱自在にしたイオン送出装置が知られている。このイオン送出装置は吸込口及び吹出口を有した前面パネルが対向する端部をネジ止め等して本体部の前面に固定される。本体部内にはイオン発生装置を保持する保持部が設けられる。保持部は係合爪を有し、保持部に挿入したイオン発生装置の下面に係合爪が係合してイオン発生装置の落下が防止される。
【０００６】
イオン発生装置を脱着する際には、本体部を覆う前面パネルを取り外し、作業者がイオン発生装置を手指で保持しながら係合爪をイオン発生装置の下面から脱離させる。これにより、イオン発生装置を交換することができる。
【先行技術文献】
【特許文献】
【０００７】
【特許文献１】特開２００４−３０９０４７号公報（第３頁−第５頁、第２図）
【発明の概要】
【発明が解決しようとする課題】
【０００８】
しかしながら、上記従来のイオン送出装置によると、イオン発生装置の交換時に前面パネルを取り外す必要があるため作業性が悪い問題があった。また、前面パネルを取り外す際に作業者の手から脱落して作業者の頭上に落下する危険があった。
【０００９】
本発明は、イオン発生装置の交換時の作業性及び安全性を向上できるイオン送出装置を提供することを目的とする。
【課題を解決するための手段】
【００１０】
上記目的を達成するために本発明は、居室内の天井壁内に取り付けられる本体部と、前記本体部の下面を覆って吸込口及び吹出口が開口する前面パネルと、前記本体部内に設けられて前記吸込口を前記吹出口とを連通させる送風通路と、前記送風通路内に配される送風ファンと、イオンを発生する電極部を有したイオン発生装置とを備え、前記送風ファンの駆動により前記吸込口から前記送風通路に流入した居室内の空気に前記電極部で発生したイオンを混合して前記吹出口から送出するイオン送出装置において、
前記前面パネルの一端に水平移動可能に設けられて前記前面パネルから突出する方向に付勢されるとともに上方に突出した爪部を有する操作ボタンと、前記前面パネルの他端に遊着される支点部分からＶ字状に延びる先端に外側に突出した係止部を有する捻りバネと、前記本体部に設けられて水平移動する前記爪部が係合する第１係合部材と、前記本体部に設けられるとともに前記捻りバネの先端を挿通して前記捻りバネの弾性により前記支点部分近傍と係合する第２係合部材とを設けたことを特徴としている。
【００１１】
この構成によると、吸込口及び吹出口を有する前面パネルが本体部の前面に配され、送風ファンを駆動すると居室内の空気が吸込口から本体部内の送風通路に流入する。送風通路を流通する空気には電極部で発生したイオンが混合され、吹出口からイオンを含む空気が送出される。前面パネルは本体部に設けた第１、第２係合部にそれぞれ係合する爪部と捻りバネとを両端部にそれぞれ配して取り付けられる。爪部は前面パネルから突出する方向に付勢される操作ボタンに設けられ、付勢により第１係合部と摺動して係合する。捻りバネは前面パネルに遊着される支点部分からＶ字状に延びる。捻りバネの先端を閉じて第２係合部に挿通し、前面パネルを押し込むと捻りバネが第２係合部の上方で弾性により広がって第２係合部に係合する。本体部のメンテナンスを行う際には操作部を押圧することにより爪部が第１係合部から脱離し、前面パネルを引き出すと捻りバネの先端の係止部が第２係合部に係止される。これにより、前面パネルが開かれて捻りバネによって吊り下げられる。
【００１２】
また本発明は、上記構成のイオン送出装置において、前記前面パネルの周面の上端に面取りを施したことを特徴としている。この構成によると、面取りによって前面パネルの周囲に影が形成され、前面パネルと天井壁との隙間を見えにくくしてイオン送出装置の美感を向上することができる。
【００１３】
また本発明は、上記構成のイオン送出装置において、前記爪部の第１係合部材に摺接する摺接面を傾斜面にしたことを特徴としている。この構成によると、爪部の傾斜面から成る摺接面が第１係合部材を付勢して前面パネルが上方に引き上げられる。これにより、前面パネルと天井壁との隙間の発生を防止してイオン送出装置の美感を向上することができる。
【発明の効果】
【００１４】
本発明によると、前面パネルが爪部を有して水平移動する操作ボタンを一端に設けられるとともに捻りバネを他端に遊着され、爪部及び捻りバネにそれぞれ係合する第１、第２係合部材を本体部に設けたので、操作ボタンの押圧によって前面パネルを容易に開くことができる。また、前面パネルを開いた際に捻りバネの長さに応じて本体部の開口面から離すことができる。これにより、前面パネルが邪魔にならずイオン発生装置の交換時の作業性を向上することができる。また、前面パネルが開いた際に捻りバネに吊り下げられて落下しないため安全性を向上することができる。
【図面の簡単な説明】
【００１５】
【図１】本発明の実施形態のイオン送出装置の取付け状態を示す斜視図
【図２】本発明の実施形態のイオン送出装置の取付け状態を示す側面断面図
【図３】本発明の実施形態のイオン送出装置の前面側から見た分解斜視図
【図４】本発明の実施形態のイオン送出装置の背面側から見た分解斜視図
【図５】本発明の実施形態のイオン送出装置の前面パネルを開いた状態を示す側面断面図
【図６】本発明の実施形態のイオン送出装置のイオン発生装置を示す分解斜視図
【発明を実施するための形態】
【００１６】
以下に本発明の実施形態を図面を参照して説明する。図１は一実施形態のイオン送出装置１の取付け状態を示す斜視図である。イオン送出装置１は居室の天井壁Ａに取り付けられ、前面を覆う前面パネル２が居室に面して配される。前面パネル２の中央部には吸込口３が開口し、吸込口３の周囲に吹出口４が設けられる。
【００１７】
図２はイオン送出装置１の側面断面図を示している。また、図３、図４はイオン送出装置１を前面から見た分解斜視図及び背面から見た分解斜視図を示している。イオン送出装置１は天井壁Ａ内に取り付けられる本体部１０を有し、本体部１０の前面の開口部が前面パネル２により覆われる。本体部１０は金属製の外ケース１０ａの内部に樹脂成形品から成る内ケース１８が取り付けられ、外ケース１０ａの開口側周縁が天井壁Ａにネジ止めされる。
【００１８】
外ケース１０ａの一端部には係合孔１０ｂを有する係合部材１０ｃ（第１係合部材）が取り付けられる。前面パネル２の一端には水平移動する操作ボタン５が設けられる。操作ボタン５は前面パネル２から突出する方向に付勢される。操作ボタン５の後端には上方に突出して係合孔１０ｂを介して係合部材１０ｃに係合する断面Ｌ字状の爪部５ａが設けられる。
【００１９】
外ケース１０ａの他端部には挿通孔（不図示）を有した内ケース１８と一体の係合部材１８ａ（第２係合部材）が配される。前面パネル２の他端にはＶ字状の捻りバネ６の支点部分が遊着される。捻りバネ６の先端には外側に向けて突出して巻回される係止部６ａが形成される。
【００２０】
前面パネル２は捻りバネ６の先端を閉じた状態で係合部材１８ａの挿通孔に挿通し、操作ボタン５の爪部５ａが係合部材１０ｃの係合孔１０ｂに係合して本体部１０に取り付けられる。この時、捻りバネ６は係合部材１８ａよりも上方で弾性力によって広がり、前面パネル２と本体部１０との接合状態が維持される。
【００２１】
操作ボタン５の押圧によって爪部５ａを係合孔１０ｃから脱離させて前面パネル２が引き出される。これにより、図５に示すように係止部６ａが係合部材１８ａに係止され、前面パネル２が捻りバネ６によって吊り下げられる。
【００２２】
前面パネル２は水平移動する操作部５の爪部５ａにより一端が係合して係合部材１８ａの上方で広がる捻りバネ６で他端が保持されるので、操作ボタン５の押圧によって前面パネル２を容易に開くことができる。また、前面パネル２を開いた際に捻りバネ６の長さに応じて本体部１０の開口面から離すことができる。これにより、前面パネル２が邪魔にならず本体部１０内のメンテナンスを容易に行うことができる。
【００２３】
また、操作ボタン５の爪部５ａは前面パネル２を上方に押圧して係合孔１０ｂに挿入され、係合部材１０ｃ上を摺動して係合孔１０ｂに係合する。このため、前面パネル２の上面と天井壁Ａとの間には上下方向の隙間が形成される。前面パネル２の周面２ａの上端には面取り２ｂが施される。面取り２ｂによって前面パネル２の周囲の天井壁Ａに影を形成し、前面パネル２と天井壁Ａとの隙間を目立たなくすることができる。従って、イオン送出装置１の美感を向上することができる。
【００２４】
尚、係合部材１０ｃと摺接する爪部５ａの摺接面を傾斜面にしてもよい。これにより、係合孔１０ｂに挿入された爪部５ａが水平方向に付勢されると傾斜面から成る摺接面が係合孔１０ｂの端縁と摺接して前面パネル２を上方に引き上げる。これにより、前面パネル２と天井壁Ａとの隙間をなくしてイオン送出装置１の美感を向上することができる。
【００２５】
内ケース１８は吸込口３と吹出口４とを連結する送風通路１２の上部を形成し、送風通路１２内に送風ファン１１を保持する。送風ファン１１は軸流ファンから成り、吸気側を吸込口３に面して配される。送風通路１２は送風ファン１１の背面の排気側から送風ファン１１の周囲を通って吹出口４まで延びて形成される。
【００２６】
内ケース１８の前面には樹脂成形品から成るグリル３０が配される。グリル３０には吸込口３及び吹出口４に対向する開口部３３、３４が設けられる。グリル３０の上面には仕切リブ３０ａが突設される。仕切リブ３０ａによって送風通路１２の下部が形成される。また、仕切リブ３０ａは送風ファン１１の排気側の送風通路１２を分岐する複数の分岐通路１２ａを本体部１０の周部に形成する。本実施形態では４つの分岐通路１２ａが形成される。
【００２７】
グリル３０は送風ファン１１の外側で分岐通路１２ａ間の対向する二箇所にクリップ３７が突設される。クリップ３７は弾性変形して内ケース１８に突設した突出リブ１７に係合し、グリル３０が本体部１０に保持される。クリップ３７の先端が弾性によって互いに近づく方向に傾倒すると、クリップ３７と突出リブ１７との係合が解除される。これにより、クリップ３７の先端を手指で摘持してグリル３０を本体部１０から取り外すことができ、本体部１０内のメンテナンスを容易に行うことができる。
【００２８】
内ケース１８には送風通路１２に面して２つのイオン発生装置２０を保持する保持部１３が対向する二箇所に設けられる。保持部１３はイオン発生装置２０の背面を支持する背面部１３ａとイオン発生装置２０の正面側に配されて下面に係合する係合爪１３ｂとを有している。背面部１３ａに沿ってイオン発生装置２０を挿入すると、係合爪１３ｂが挿入方向に垂直な方向に弾性変形してイオン発生装置２０の下面に係合する。これにより、イオン発生装置２０が落下を防止して保持される。
【００２９】
図６はイオン発生装置２０の分解斜視図を示している。イオン発生装置２０はイオン発生素子２４の正面側と背面側とをそれぞれカバー２１、２２により覆って形成される。カバー２１、２２はそれぞれ周面に設けた係合孔２１ｃと係合突起２２ｃとの係合により接合される。
【００３０】
イオン発生素子２４はイオンを発生する電極部２５、２６を有している。正面側のカバー２１には電極部２５、２６に対向する孔部２１ｄ、２１ｅが設けられる。電極部２５、２６は所定距離だけ離隔して設けられ、それぞれ針状の放電電極２５ａ、２６ａと放電電極２５ａ、２６ａの周囲に配される環状の誘導電極２５ｂ、２６ｂとを有している。
【００３１】
放電電極２５ａには誘導電極２５ｂに対して正極性の高電圧が印加され、放電電極２６ａには誘導電極２６ｂに対して負極性の高電圧がそれぞれ印加される。これにより、放電電極２５ａと誘導電極２５ｂとの間にはコロナ放電により主に空気中の水分が電離してＨ+イオンが発生する。また、放電電極２６ａと誘導電極２６ｂとの間にはコロナ放電により主に空気中の酸素が電離してＯ2-イオンが発生する。
【００３２】
電極部２５から電離により発生したＨ+イオンは空気中の水分と結合してＨ+（Ｈ2Ｏ）ｍから成る電荷が正のクラスタイオンを形成する。電極部２６から電離により発生するＯ2-イオンは空気中の水分と結合してＯ2-（Ｈ2Ｏ）ｎから成る電荷が負のクラスタイオンを形成する。ここで、ｍ、ｎは任意の自然数である。従って、電極部２５はプラスイオンを発生するプラスイオン部を構成し、電極部２６はマイナスイオンを発生するマイナスイオン部を構成する。
【００３３】
Ｈ+（Ｈ2Ｏ）ｍ及びＯ2-（Ｈ2Ｏ）ｎは空気中の浮遊菌や臭い成分及び貯蔵物の付着菌の表面で凝集してこれらを取り囲む。そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分等を破壊する。ここで、ｍ’、ｎ’は任意の自然数である。従って、主としてＨ+（Ｈ2Ｏ）ｍから成るプラスイオンと主としてＯ2-（Ｈ2Ｏ）ｎから成るマイナスイオンとを発生して吹出口４から送出することにより室内の殺菌及び臭い除去を行うことができる。
【００３４】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３５】
尚、カバー２１の孔部２１ｄ、２１ｅの内縁は環状の誘導電極２５ｂ、２６ｂよりも内側に配され、孔部２１ｄ、２１ｅが誘導電極２５ｂ、２６ｂよりも小さく形成される。これにより、イオン発生装置２０を把持した際に放電電極２５ａ、２６ａ及び誘導電極２５ｂ、２６ｂと手指との接触が防止される。従って、各電極に異物が付着することによるイオン発生素子２４の劣化を防止することができる。
【００３６】
また、イオン発生素子２４は放電電極２５ａ、２６ａ及び環状の誘導電極２５ｂ、２６ｂを有しているが、他の構成であってもよい。例えば、誘導電極を省いてもよく、平面状の放電電極を設けてもよい。
【００３７】
プラスイオンを発生する電極部２５とマイナスイオンを発生する電極部２６とは隣接した異なる分岐通路１２ａにそれぞれ面して配される。これにより、プラスイオンとマイナスイオンとの衝突による消滅を低減して吹出口４から送出されるイオンの減少を防止することができる。
【００３８】
また、本体部１０の一方の対角上に２つのイオン発生装置２０の電極部２５が対向配置され、他方の対角上に２つのイオン発生装置２０の電極部２６が対向配置される。これにより、イオン送出装置１からプラスイオン及びマイナスイオンをそれぞれ分散して送出し、居室内の殺菌や脱臭を均一に行うことができる。
【００３９】
イオン発生素子２４の上部には電極部２５、２６に導通する端子２４ａが設けられる。端子２４ａにはカバー２１、２２内に配されるリード線２７を介してコネクタ２３が接続される。
【００４０】
コネクタ２３には二箇所に柱状部２３ｂが突設され、柱状部２３ｂの周面に環状の溝部２３ａが形成される。カバー２１、２２の支持部２１ａ、２２ａには溝部２３ａに嵌合するＵ字状の切欠き部２１ｂ、２２ｂ（２１ｂは不図示）が形成される。コネクタ２３の溝部２３ａを支持部２１ａ、２２ａの切欠き部２１ｂ、２２ｂで挟持し、コネクタ２３が先端を突出してカバー２１、２２に保持される。この時、溝部２３ａと切欠き部２１ｂ、２２ｂとの間には径方向の隙間が形成され、コネクタ２３が正面側と背面側との間を傾倒可能なように遊着される。
【００４１】
イオン発生装置２０は保持部１３の背面部１３ａに沿って挿入された際にコネクタ２３が本体部１０に設けた電源供給用の端子部１９（図２参照）に差し込まれる。この時、コネクタ２３がカバー２１、２２に遊着されるため、イオン発生装置２０が保持部１３への挿入時に傾いてもコネクタ２３を確実に端子部１９に差し込むことができる。
【００４２】
また、背面側のカバー２２には保持部１３への挿入方向に延びる案内溝２２ｄ（図４参照）が形成される。保持部１３の背面部１３ａには案内溝２２ｄに嵌合する案内突起部１３ｃ（図３参照）が設けられる。案内突起部１３ｃの案内によってイオン発生装置２０の背面部１３ａに沿う方向の傾きを低減してイオン発生装置２０を容易に背面部１３ａに沿って挿入することができる。従って、コネクタ２３をより確実に端子部１９に差し込むことができる。
【００４３】
正面側のカバー２１の表面には溝部２１ｆが凹設される。溝部２１ｆはイオン発生装置２０を保持部１３に挿入する際に係合爪１３ｂ（図２参照）が摺動する軌跡上に設けられる。イオン発生装置２０の下面に係合する係合爪１３ｂを脱離させてイオン発生装置２０を取り出す際に係合爪１３ｂはカバー２１上を摺動して溝部２１ｆに係合する。
【００４４】
この時、溝部２１ｆはケース２１の表面に凹設されるため係合爪１３ｂがイオン発生装置２０の下面よりも浅い係合深さで溝部２１ｆに係合する。また、溝部２１ｆの内周面は平面または曲面の傾斜面に形成される。これにより、係合爪１３ｂが溝部２１ｆに係合した状態からイオン発生装置２０を更に引き出して取り外すことができる。
【００４５】
上記構成のイオン送出装置１において、送風ファン１１が駆動されると居室内の空気が吸込口３から送風通路１２に流入する。送風通路１２に流入した空気は送風ファン１１の排気側で複数の分岐通路１２ａに分岐する。各分岐通路１２ａを流通する空気にはイオン発生装置２０で発生したプラスイオン及びマイナスイオンが混合される。そして、前面パネル２の周部に設けた吹出口４からイオンを含む空気が送出される。これにより、居室内の殺菌及び脱臭を行うことができる。
【００４６】
イオン発生装置２０の駆動時間が所定時間を経過すると、使用者にイオン発生装置２０の交換を促すようにリモートコントローラ上の表示等により報知される。作業者は操作ボタン５を押圧して爪部５ａと係合部材１０ｃとの係合を解除し、捻りバネ６を支点に回動する前面パネル２を引き出す。これにより、捻りバネ６の係止部６ａが係合部材１８ａに係止され、前面パネル２が吊り下げられる。
【００４７】
次に、グリル３０の両クリップ３７を手指で摘持してクリップ３７と突出リブ１７との係合を解除し、グリル３０を取り外す。次に、作業者がイオン発生装置２０を手指で保持しながら係合爪１３ｂをイオン発生装置２０の下面から脱離させる。イオン発生装置２０を引き出すとコネクタ２３が端子部１９から外れ、係合爪１３ａがイオン発生装置２０の正面側のカバー２１上を摺動して溝部２１ｆに係合する。更にイオン発生装置２０を引き出すことによりイオン発生装置２０が取り外される。これにより、イオン発生装置２０を交換することができる。
【００４８】
作業者がイオン発生装置２０を手指で保持するのを忘れてイオン発生装置２０の下面から係合爪１３ｂを脱離させた際に、カバー２１、２２に保持されたコネクタ２３と端子部１９との摩擦力によってイオン発生装置２０の落下が防止される。また、コネクタ２３が端子部１９から外れても係合爪１３ｂが溝部２１ｆに係合してイオン発生装置２０の落下が防止される。
【００４９】
本実施形態によると、前面パネル２が爪部５ａを有して水平移動する操作ボタン５を一端に設けられるとともに捻りバネ６を他端に遊着され、爪部５ａ及び捻りバネ６にそれぞれ係合する係合部材１０ｃ、１８ａ（第１、第２係合部材）を本体部１０に設けたので、操作ボタン５の押圧によって前面パネル２を容易に開くことができる。また、前面パネル２を開いた際に捻りバネ６の長さに応じて本体部１０の開口面から離すことができる。これにより、前面パネル２が邪魔にならずイオン発生装置２０の交換時の作業性を向上することができる。また、前面パネル２が開いた際に捻りバネ６に吊り下げられて落下しないため安全性を向上することができる。
【００５０】
また、前面パネル２の周面の上端に面取り２ｂを施したので、前面パネル２の周囲に影が形成され、前面パネル２と天井壁Ａとの隙間を見えにくくしてイオン送出装置１の美感を向上することができる。
【００５１】
また、爪部５ａの係合部材１０ｃに摺接する摺接面を傾斜面にすると、爪部５ａの傾斜面から成る摺接面が係合部材１０ｃを付勢して前面パネル２が上方に引き上げられる。これにより、前面パネル２と天井壁Ａとの隙間の発生を防止してイオン送出装置の美感を向上することができる。
【００５２】
本実施形態において、イオン発生装置２０の電極部２５、２６の両方からマイナスイオンを放出してもよい。これにより、リラクゼーション効果や人体内の活性酸素の低減等を図ることができる。
【産業上の利用可能性】
【００５３】
本発明によると、居室内にイオンを送出するイオン送出装置に利用することができる。
【符号の説明】
【００５４】
１    イオン送出装置
２    前面カバー
２ｂ  面取り
３    吸込口
４    吹出口
５    操作ボタン
５ａ  爪部
６    捻りバネ
１０    本体部
１０ａ  外ケース
１０ｃ  係合部材
１１    送風ファン
１２    送風通路
１２ａ  分岐通路
１３    保持部
１３ａ  背面部
１３ｂ  係合爪
１３ｃ  案内突起部
１７    突出リブ
１８    内ケース
１８ａ  係合部材
１９    端子部
２０    イオン発生装置
２１、２２  カバー
２１ａ、２２ａ  支持部
２１ｄ、２１ｅ  孔部
２１ｆ  溝部
２２ｂ  切欠き部
２２ｄ  案内溝
２３    コネクタ
２４    イオン発生素子
２４ａ  端子
２５、２６  電極部
２５ａ、２６ａ  放電電極
２５ｂ、２６ｂ  誘電電極
２７    リード線
３０    グリル
３３、３４  開口部
３７    クリップ
【図１】
2011021766.tif 000003
【図２】
2011021766.tif 000004
【図３】
2011021766.tif 000005
【図４】
2011021766.tif 000006
【図５】
2011021766.tif 000007
【図６】
2011021766.tif 000008
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
居室内の天井壁内に取り付けられる本体部と、前記本体部の下面を覆って吸込口及び吹
出口が開口する前面パネルと、前記本体部内に設けられて前記吸込口を前記吹出口とを連
通させる送風通路と、前記送風通路内に配される送風ファンと、イオンを発生する電極部
を有したイオン発生装置とを備え、前記送風ファンの駆動により前記吸込口から前記送風
通路に流入した居室内の空気に前記電極部で発生したイオンを混合して前記吹出口から送
出するイオン送出装置において、
前記前面パネルの一端に水平移動可能に設けられて前記前面パネルから突出する方向に
付勢されるとともに上方に突出した爪部を有する操作ボタンと、前記本体部に設けられて水平移動する前記爪部が係合する第１係合部材と、前記前面パネルの他端に遊着される支点部分からＶ字状に延びる先端に外側に突出した係止部を有する捻りバネと、前記本体部に設けられるとともに前記捻りバネの先端を挿通して前記捻りバネの弾性により前記支点部分近傍と係合する第２係合部材とを設け、
前記操作ボタンを押圧して前記爪部と第１係合部材との係合を解除し、前記捻りバネを支点に回動する前記前面パネルを引き出すことにより、前記捻りバネの前記係止部が第２係合部材に係止され、前記前面パネルが吊り下げられることを特徴とするイオン送出装置。
【請求項２】
前記前面パネルの周面の上端に面取りを施したことを特徴とする請求項１に記載のイオ
ン送出装置。
【請求項３】
前記爪部の第１係合部材に摺接する摺接面を傾斜面にしたことを特徴とする請求項１に
記載のイオン送出装置。
【手続補正２】
【補正対象書類名】明細書
【補正対象項目名】００１１
【補正方法】変更
【補正の内容】
【００１１】
この構成によると、吸込口及び吹出口を有する前面パネルが本体部の前面に配され、送
風ファンを駆動すると居室内の空気が吸込口から本体部内の送風通路に流入する。送風通
路を流通する空気には電極部で発生したイオンが混合され、吹出口からイオンを含む空気
が送出される。前面パネルは本体部に設けた第１、第２係合部材にそれぞれ係合する爪部と捻りバネとを両端部にそれぞれ配して取り付けられる。爪部は前面パネルから突出する方向に付勢される操作ボタンに設けられ、付勢により第１係合部材と摺動して係合する。捻りバネは前面パネルに遊着される支点部分からＶ字状に延びる。捻りバネの先端を閉じて第２係合部材に挿通し、前面パネルを押し込むと捻りバネが第２係合部材の上方で弾性により広がって第２係合部材に係合する。本体部のメンテナンスを行う際には操作ボタンを押圧することにより爪部が第１係合部材から脱離し、前面パネルを引き出すと捻りバネの先端の係止部が第２係合部材に係止される。これにより、前面パネルが開かれて捻りバネによって吊り下げられる。
【手続補正３】
【補正対象書類名】明細書
【補正対象項目名】００２１
【補正方法】変更
【補正の内容】
【００２１】
操作ボタン５の押圧によって爪部５ａを係合孔１０ｂから脱離させて前面パネル２が引
き出される。これにより、図５に示すように係止部６ａが係合部材１８ａに係止され、前
面パネル２が捻りバネ６によって吊り下げられる。
【手続補正４】
【補正対象書類名】明細書
【補正対象項目名】００２２
【補正方法】変更
【補正の内容】
【００２２】
前面パネル２は水平移動する操作ボタン５の爪部５ａにより一端が係合して係合部材１８ａの上方で広がる捻りバネ６で他端が保持されるので、操作ボタン５の押圧によって前面パネル２を容易に開くことができる。また、前面パネル２を開いた際に捻りバネ６の長さに応じて本体部１０の開口面から離すことができる。これにより、前面パネル２が邪魔にならず本体部１０内のメンテナンスを容易に行うことができる。
【手続補正５】
【補正対象書類名】明細書
【補正対象項目名】００４４
【補正方法】変更
【補正の内容】
【００４４】
この時、溝部２１ｆはカバー２１の表面に凹設されるため係合爪１３ｂがイオン発生装
置２０の下面よりも浅い係合深さで溝部２１ｆに係合する。また、溝部２１ｆの内周面は
平面または曲面の傾斜面に形成される。これにより、係合爪１３ｂが溝部２１ｆに係合し
た状態からイオン発生装置２０を更に引き出して取り外すことができる。
【手続補正６】
【補正対象書類名】明細書
【補正対象項目名】００４７
【補正方法】変更
【補正の内容】
【００４７】
次に、グリル３０の両クリップ３７を手指で摘持してクリップ３７と突出リブ１７との
係合を解除し、グリル３０を取り外す。次に、作業者がイオン発生装置２０を手指で保持
しながら係合爪１３ｂをイオン発生装置２０の下面から脱離させる。イオン発生装置２０
を引き出すとコネクタ２３が端子部１９から外れ、係合爪１３ｂがイオン発生装置２０の
正面側のカバー２１上を摺動して溝部２１ｆに係合する。更にイオン発生装置２０を引き
出すことによりイオン発生装置２０が取り外される。これにより、イオン発生装置２０を
交換することができる。
【手続補正７】
【補正対象書類名】明細書
【補正対象項目名】００５４
【補正方法】変更
【補正の内容】
【００５４】
１    イオン送出装置
２    前面カバー
２ｂ  面取り
３    吸込口
４    吹出口
５    操作ボタン
５ａ  爪部
６    捻りバネ
１０    本体部
１０ａ  外ケース
１０ｃ  係合部材
１１    送風ファン
１２    送風通路
１２ａ  分岐通路
１３    保持部
１３ａ  背面部
１３ｂ  係合爪
１３ｃ  案内突起部
１７    突出リブ
１８    内ケース
１８ａ  係合部材
１９    端子部
２０    イオン発生装置
２１、２２  カバー
２１ａ、２２ａ  支持部
２１ｄ、２１ｅ  孔部
２１ｆ  溝部
２２ｂ  切欠き部
２２ｄ  案内溝
２３    コネクタ
２４    イオン発生素子
２４ａ  端子
２５、２６  電極部
２５ａ、２６ａ  放電電極
２５ｂ、２６ｂ  誘導電極
２７    リード線
３０    グリル
３３、３４  開口部
３７    クリップ